(57)【要約】【課題】可動部材による入賞領域に向けた遊技球の放出を安定的に制御し得る入賞装置および遊技機を提供する。【解決手段】入賞装置２０は、入賞口６３ｄが配された入賞領域ＡＲと、遊技球を受け入れる受入位置と、遊技球を入賞領域ＡＲに向けて放出する放出位置と、の間で変位自在な可動部材５３と、遊技領域を流下する遊技球を受けて可動部材５３に誘導する通路部材４０と、可動部材５３を受入位置から放出位置に向かう方向に付勢する付勢部材５４と、可動部材５３を放出位置から受入位置に変位させる駆動力を生じさせる駆動源５５と、可動部材５３が放出位置に移動したときに衝止する規制部５２ｃと、を備えている。可動部材５３は、付勢部材５４により入賞領域ＡＲに向けて付勢された状態で、規制部５２ｃに衝止することで遊技球を入賞領域ＡＲに向けて放出する。【選択図】図１０
2020114299.tif 000002
【特許請求の範囲】
【請求項１】
遊技領域を流下する遊技球が入賞する入賞装置であって、
入賞口が配された入賞領域と、
遊技球を受け入れる受入位置と、遊技球を前記入賞領域に向けて放出する放出位置と、の間で変位自在な可動部材と、
前記遊技領域を流下する遊技球を受けて前記可動部材に誘導する誘導手段と、
前記可動部材を前記受入位置から前記放出位置に向かう方向に付勢する付勢部材と、
前記可動部材を前記放出位置から前記受入位置に変位させる駆動力を生じさせる駆動源と、
前記可動部材が前記放出位置に移動したときに衝止する規制部と、
を備え、
前記可動部材は、前記付勢部材により前記入賞領域に向けて付勢された状態で、前記規制部に衝止することで遊技球を前記入賞領域に向けて放出することを特徴とする入賞装置。
【請求項２】
前記規制部は、弾性体によって構成されていることを特徴とする請求項１に記載の入賞装置。
【請求項３】
前記入賞領域内から遊技球を排出する排出口を備えることを特徴とする請求項１又は請求項２に記載の入賞装置。
【請求項４】
前記排出口から排出された遊技球を第２入賞口又は外れ口に振り分ける振分手段を備えることを特徴とする請求項３に記載の入賞装置。
【請求項５】
前記振分手段は、
回動自在に軸支される回動体と、
前記排出口から排出された遊技球を受けて前記回動体に誘導する誘導路と、
前記回動体を所定の回動軸を中心に回動させる第２駆動源と、
前記回動体の外周面に設けられ、前記誘導路によって誘導された遊技球を保持するとともに、前記回動体の回動に応じて前記回動軸の軸周りに移動する保持部と、
前記第２駆動源による前記回動体の前記回動軸を中心とする回動に連動して、前記回動体を揺動させる揺動手段と、
を備え、
前記保持部は、保持した遊技球を前記第２入賞口又は前記外れ口へと移動させることを特徴とする請求項４に記載の入賞装置。
【請求項６】
前記可動部材は、遊技球の一部が入り込む凹部を有することを特徴とする請求項１から請求項５のいずれか一項に記載の入賞装置。
【請求項７】
前記入賞口は、前記入賞領域内で移動することを特徴とする請求項１から請求項６のいずれか一項に記載の入賞装置。
【請求項８】
前記入賞領域を前方から覆う被覆部を備え、
前方から前記被覆部を介して前記入賞領域が視認可能であることを特徴とする請求項１から請求項７のいずれか一項に記載の入賞装置。
【請求項９】
請求項１から請求項８のいずれか一項に記載の入賞装置を備えていることを特徴とする遊技機。
【発明の詳細な説明】
【技術分野】
【０００１】
本発明は、入賞装置及びそれを備えた遊技機に関するものである。
【背景技術】
【０００２】
従来、遊技機として、遊技領域に打ち込まれた遊技球が、釘やステージ等に誘導されながら流下して入賞口へ向かう構成が知られている。このような構成の遊技機では、入賞口へ至る遊技球の経路が、新鮮味に欠けるものであったため、特許文献１，２のような遊技機の構成が考えられている。
【０００３】
特許文献１の入賞球装置は、入賞口の下方に、パチンコ玉が嵌入する嵌合孔が形成された保留場所が設けられている。この入賞球装置には、嵌合孔に嵌入したパチンコ玉を、駆動機構の駆動力に基づいて、付勢力に抗して入賞口に向けて打ち上げる打上げ部材が設けられている。特許文献２の遊技機は、的部材の下方に入賞口が設けられており、転動ステージに設けられた射的部材によって遊技球を的部材に向けて打ち出す構成となっている。遊技球は、的部材に当てることで、下方の入賞口に導いて入賞させるようになっている。
【先行技術文献】
【特許文献】
【０００４】
【特許文献１】特開平６−１９８０３２号公報
【特許文献２】特許第６２８３８８６号公報
【発明の概要】
【発明が解決しようとする課題】
【０００５】
特許文献１の入賞球装置は、パチンコ玉が打上げ部材によって打ち上げられる前に、保留場所の嵌合孔に嵌入する構成である。そのため、保留場所に多くのパチンコ玉が流入することで、嵌合孔に嵌入しているパチンコ玉が他のパチンコ玉に干渉してしまい、入賞口へ向けて打ち上げられない問題が生じる。
【０００６】
特許文献２の遊技機は、射的部材が、ソレノイドの直動ロッドの往復運動に連動して、横倒れ状態から起立状態へ変化し、その勢いで遊技球が的部材に向けて飛ばされる構成である。そのため、飛ばされた遊技球は、勢いにばらつきが生じ、軌道を安定的に制御することができない。したがって、遊技球を入賞口に向けて安定的な軌道で放出が可能な構成が求められている。
【０００７】
本発明は、上述した課題を解決するためになされたものであり、可動部材による入賞領域に向けた遊技球の放出を安定的に制御し得る入賞装置および遊技機を提供することを目的とする。
【課題を解決するための手段】
【０００８】
本発明の入賞装置は、
遊技領域を流下する遊技球が入賞する入賞装置であって、
入賞口が配された入賞領域と、
遊技球を受け入れる受入位置と、遊技球を前記入賞領域に向けて放出する放出位置と、の間で変位自在な可動部材と、
前記遊技領域を流下する遊技球を受けて前記可動部材に誘導する誘導手段と、
前記可動部材を前記受入位置から前記放出位置に向かう方向に付勢する付勢部材と、
前記可動部材を前記放出位置から前記受入位置に変位させる駆動力を生じさせる駆動源と、
前記可動部材が前記放出位置に移動したときに衝止する規制部と、
を備え、
前記可動部材は、前記付勢部材により前記入賞領域に向けて付勢された状態で、前記規制部に衝止することで遊技球を前記入賞領域に向けて放出することを特徴とする。
【０００９】
本発明の遊技機は、上記入賞装置を備えることを特徴とする。
【発明の効果】
【００１０】
本発明の入賞装置および遊技機は、可動部材が駆動源の駆動力によって付勢部材の付勢に抗して放出位置から受入位置に変位することによって、誘導手段を介して遊技領域を流下する遊技球を受け入れることができる。そして、可動部材は、駆動源の駆動力によって放出位置から受入位置に変位した後、受入位置から放出位置に付勢部材の付勢に基づいて変位させることができる。その上で、入賞装置は、可動部材が放出位置に移動したときに衝止する規制部を備えている。可動部材は、付勢部材により入賞領域に向けて付勢された状態で、規制部に衝止することで遊技球を入賞領域に向けて放出する構成である。これにより、遊技球は、入賞領域に向かって十分に付勢された状態で、特定の放出位置において可動部材から放出されることになり、安定した軌道で入賞領域へと到達させることができる。したがって、可動部材による入賞領域に向けた遊技球の放出を安定的に制御することができる。
【００１１】
本発明の入賞装置は、規制部が、弾性体によって構成されていてもよい。
【００１２】
この構成によれば、規制部は、放出位置で可動部材を衝止する際に、可動部材との衝突の衝撃を緩和することができる。そのため、可動部材の耐久性を向上させることができる。
【００１３】
本発明の入賞装置は、入賞領域内から遊技球を排出する排出口を備えていてもよい。
【００１４】
この構成によれば、入賞領域内に放出された遊技球は、入賞口に入球するか排出口に入球するかによって、一種の抽選を行うことができる。このような抽選によって、遊技者の興趣を高めることができる。
【００１５】
本発明の入賞装置は、排出口から排出された遊技球を第２入賞口又は外れ口に振り分ける振分手段を備えていてもよい。
【００１６】
この構成によれば、排出口から排出された遊技球が、第２入賞口に入球するか外れ口に入球するかによって、さらなる抽選を行うことができる。そのため、連続して行われる抽選によって、より一層遊技者の興趣を高めることができる。
【００１７】
本発明の入賞装置は、振分手段が、回動自在に軸支される回動体と、排出口から排出された遊技球を受けて回動体に誘導する誘導路と、回動体を所定の回動軸を中心に回動させる第２駆動源と、回動体の外周面に設けられ、誘導路によって誘導された遊技球を保持するとともに、回動体の回動に応じて回動軸の軸周りに移動する保持部と、第２駆動源による回動体の回動軸を中心とする回動に連動して、回動体を揺動させる揺動手段と、を備えていてもよい。保持部は、保持した遊技球を第２入賞口又は外れ口へと移動させてもよい。
【００１８】
この構成によれば、回動体の回動に応じて回動軸の軸周りに移動する保持部は、揺動しながら回動移動することになる。そのため、遊技者が保持部の回動軌道を予測することが難しくなり、遊技者の興趣を高めることができる。
【００１９】
本発明の入賞装置は、可動部材が、遊技球の一部が入り込む凹部を有していてもよい。
【００２０】
この構成によれば、凹部は、遊技球を受け入れて安定して保持することができるとともに、可動部材の放出位置において付勢部材の付勢力に基づいて開口から支障なく放出させることができる。
【００２１】
本発明の入賞装置は、入賞口が、入賞領域内で移動してもよい。
【００２２】
この構成によれば、入賞領域に放出された遊技球の入賞口への入球が、入賞口の移動に依存することになり、ゲーム性を高めることができる。
【００２３】
本発明の入賞装置は、入賞領域を前方から覆う被覆部を備え、前方から被覆部を介して入賞領域が視認可能であってもよい。
【００２４】
この構成によれば、入賞領域が前方から被覆部に覆われていても、入賞領域内の遊技球の動きを視認することができる。そのため、入賞領域内の遊技球の動きによって、遊技者の興趣を高めることができる。
【図面の簡単な説明】
【００２５】
【図１】図１は、本発明の第１実施形態に係る遊技機を例示する正面図である。
【図２】図２は、図１の入賞装置の主要部を前方側且つ斜め上方側から見た斜視図である。
【図３】図３は、図１の入賞装置における主要部の背面図である。
【図４】図４は、図２の第１振分装置を前方側且つ斜め上方側から見た分解斜視図である。
【図５】図５は、図２の第２振分装置を前方側且つ斜め上方側から見た分解斜視図である。
【図６】図６（Ａ）は、図２の第３振分装置を前方側且つ斜め上方側から見た斜視図であり、図６（Ｂ）は、後方側且つ斜め上方側から見た斜視図である。
【図７】図７は、可動部材が受入位置にあるときの図３のＡ−Ａ断面を示す断面図である。
【図８】図８は、可動部材が放出位置にあるときの図３のＡ−Ａ断面を示す断面図である。
【図９】図９は、動作を説明する第１振分装置の正面図である。
【図１０】図１０は、第１振分装置の動作を説明する、図７のＢ−Ｂ断面を示す断面図である。
【図１１】図１１は、第２振分装置の動作を説明する、図３のＣ−Ｃ断面を示す断面図である。
【図１２】図１２は、第３振分装置の動作を説明する、図３のＤ−Ｄ断面を示す断面図である。
【図１３】図１３は、第２ギヤの作用部の他の形態を説明する説明図である。
【発明を実施するための形態】
【００２６】
[第１実施形態]
以下、本発明に係る入賞装置、及び遊技機を具現化した第１実施形態について、図面を参照して説明する。
【００２７】
図１に示す遊技機１は、いわゆるパチンコ機として構成されており、遊技者側に配される前面枠２に形成された窓部３に透明板（ガラス板等）が配置されている。また、透明板の後方（奥側）には、遊技盤４が配置され、この遊技盤４上にガイドレール等によって区画された遊技領域４ａ（遊技球が流下可能な領域）が形成され、遊技者が透明板を介して遊技領域４ａを視認できるように構成されている。遊技領域４ａの中央には、遊技盤４を板厚方向に貫通して中央役物１０が設けられている。中央役物１０は、遊技盤面より奥側に主体となる入賞装置２０が設けられ、遊技盤面の前方に立ち上がる庇状の上壁部１１が設けられている。上壁部１１の左右両側の縁部分には誘導手段としての回動翼片１２が設けられ、回動翼片１２に隣接して回動翼片１２で受けた遊技球を入賞装置２０に導く第１誘導通路１３が設けられている。中央役物１０の下方には、回動翼片１２を開閉させる作動口５ａ，５ｂが設けられている。中央役物１０の右下側には、アタッカーとして構成される大入賞口６が設けられている。また、窓部３の下方には、遊技球を受ける遊技球受皿７が設けられており、この遊技球受皿７の右側下方には回動操作によって遊技球を打ち出す発射ハンドル８が設けられている。
【００２８】
なお、本明細書では、遊技盤４の前面（盤面）と直交する方向を前後方向とし、遊技盤４の前面（盤面）に対し遊技者が位置するべき側を前方側、それとは反対側（即ち、遊技機１奥側）を後方側とする。また、遊技領域４ａを遊技球が流下する方向（鉛直方向）を上下方向とする。また、前後方向及び上下方向と直交する方向を左右方向とし、遊技機１前方側から見て左側を左方向、右側を右方向とする。
【００２９】
回動翼片１２は、図示しない電気的駆動源（例えばソレノイド）の動作に応じて 、略垂直に起立する起立位置（図１の実線の状態）と、水平方向に傾倒する傾倒位置（図１の二点鎖線の状態）と、に回動変位する。回動翼片１２に隣接する第１誘導通路１３は、遊技領域４ａの左右方向中央に向かって下方位置となるように傾斜している。第１誘導通路１３の下端は、図２に示すように、後述する誘導手段としての通路部材４０の受け部４１の上方に位置している。回動翼片１２は、起立状態になると、上壁部１１と連なり、入賞装置２０への入球を阻止する。一方で、回動翼片１２は、傾倒状態になると、上壁部１１と第１誘導通路１３との間が開放された状態となり、遊技領域４ａを流下する遊技球が回動翼片１２で受けられて、第１誘導通路１３によって入賞装置２０へと導かれる。
【００３０】
作動口５ａ，５ｂは、遊技領域４ａを流下する遊技球が入球して遊技球を検出すると、図示しない制御装置（ＣＰＵやメモリ等を備えた装置）に球検知信号を送信する。作動口５ａ，５ｂから球検知信号を受信した制御装置は、所定個数の賞球の払い出しの制御と、回動翼片１２の傾倒動作の制御を行う。なお、作動口５ａに遊技球が入球した場合は、回動翼片１２の傾倒動作が１回行われ、作動口５ｂに遊技球が入球した場合には、回動翼片１２の傾倒動作が２回行われる。
【００３１】
以下、入賞装置２０について詳しく説明する。
図２〜図１２に示す入賞装置２０は、第１誘導通路１３から受けた遊技球を、移動させながら抽選を行い、大入賞口６が開放される大当たり状態と、大当たり状態とならず入賞装置２０から排出される外れ状態と、に遊技機１を変化させるように機能する装置である。入賞装置２０は、図２に示すように、ベース部材３０、通路部材４０（誘導手段）、第１振分装置５０、第２振分装置６０、及び第３振分装置７０を備えている。以下、入賞装置２０の構成要素について詳しく説明する。
【００３２】
ベース部材３０は、図２，３，７，８に示すように、入賞装置２０を構成する他の部材を支持する土台として構成され、遊技盤４の中央に開設した開口部の奥側に位置して固定されている（図１参照）。ベース部材３０は、第１振分装置５０、第２振分装置６０、及び第３振分装置７０が組み付けられている。ベース部材３０は、上枠部３１と、下枠部３２と、を備え一体的に設けられている。上枠部３１は、遊技盤４の盤面と略平行に配される板部を有している。上枠部３１の前面における上下方向中央には、第１振分装置５０が固定されている。また、上枠部３１の上端部側には、第２振分装置６０が固定されている。下枠部３２には、上枠部３１の下端部側における前側に第３振分装置７０が設けられている。
【００３３】
上枠部３１の前側には、図２，７に示すように、第１振分装置５０で外れた遊技球を排出する第１外れ球通路３３、及び第２振分装置６０で外れた遊技球を第３振分装置７０に導く誘導樋３８が設けられている。上枠部３１の後側には、図３，７に示すように、第１外れ球通路３３の下流端と連通し第１外れ球通路３３から送られる遊技球が貯留する外れ球皿３４と、上端が外れ球皿３４と連通し外れ球皿３４に流入した遊技球を排出する第２外れ球通路３５と、第２振分装置６０で当たった遊技球が貯留する当たり球皿３６と、上端が当たり球皿３６と連通し当たり球皿３６に流入した遊技球を排出する当たり球通路３７が設けられている。
【００３４】
誘導手段は、遊技領域４ａを流下する遊技球を受ける回動翼片１２と、回動翼片１２で受けた遊技球を入賞装置２０に導く第１誘導通路１３と、後述する可動部材５３に誘導する通路部材４０を備えている。通路部材４０は、図２，７，８に示すように、第１振分装置５０の前側に固定され、可動部材５３又は第１外れ球通路３３に誘導するように機能する。通路部材４０は、第１誘導通路１３からの遊技球を受ける受け部４１と、受け部４１によって誘導される遊技球を左右方向外側に誘導する一対の第２誘導通路４２と、を有している。受け部４１から流下する遊技球は、遊技球の流勢により一対の第２誘導通路４２のいずれか一方を流下する。一対の第２誘導通路４２は、それぞれ左右方向外側の端部に、後方に開口する開口部４２ａが形成されている。開口部４２ａから排出される遊技球は、後述する可動部材５３が受入位置にあるときには、図７に示すように、可動部材５３の受入部５３ｂへと流下し、可動部材５３が放出位置にあるときには、図８に示すように、可動部材５３の下方を通過して第１外れ球通路３３へと流下する。
【００３５】
次に、第１振分装置５０について説明する。
第１振分装置５０は、通路部材４０から遊技球を受けて、その遊技球を入賞領域ＡＲに向けて放出するように機能する。ここで、図２に示すように、後述する第２振分装置６０の遊技球受入部６１の内部の空間領域を、入賞領域ＡＲとする。第１振分装置５０は、図４に示すように、後側本体部５１と前側本体部５２からなる本体部５９、一対の可動部材５３、一対の付勢部材５４、駆動源５５、第１ギヤ５５ｂ、一対の第２ギヤ５５ｃ、一対の第３ギヤ５５ｅ、第１連動部材５６、装飾部材５７、及び第２連動部材５８を備えている。なお、実施例において、第１振分装置５０は全体を人形に模した形状として、本体部５９が胴部、一対の可動部材５３が腕部、第１連動部材５６が脚部、第２連動部材５８が頭部を模している。
【００３６】
後側本体部５１及び前側本体部５２は、第１振分装置５０のベース部材として後側本体部５１と前側本体部５２の間に他の構成部材が組み付けられ、前後に一体的に組み付けられる。後側本体部５１は、図４に示すように、第１振分装置５０の後側の外郭を構成し、前側本体部５２は、第１振分装置５０の前側の外郭を構成している。後側本体部５１は、駆動源５５が後方から組み付けられており、駆動源５５の回動軸５５ａを後側から前側に挿通するための貫通孔５１ａが中心付近に形成されている。また、貫通孔５１ａの上側に、一対の第２ギヤ５５ｃの軸部５２ｆ（図１０参照）をそれぞれ回動可能に支持するための一対の第１軸受部５１ｂが形成され、貫通孔５１ａの下側に、一対の第３ギヤ５５ｅをそれぞれ回動可能に支持する一対の第２軸受部５１ｄが形成されている。また、後側本体部５１の上端部には、後述するばね部材５８ａの一端が係止される係止部５１ｃが形成されている。
【００３７】
前側本体部５２は、図４に示すように、前壁部５２ａ、一対の上壁部５２ｂ、及び一対の下壁部５２ｄを有している。前壁部５２ａには、図１０に示すように、後面における左右方向の外側寄りの位置に、可動部材５３の軸受部５３ｃに挿通されて可動部材５３の回動軸となる一対の軸部５２ｅが形成されている。また、前壁部５２ａには、図１０に示すように、後面における左右方向の内側寄りの位置に、第２ギヤ５５ｃに挿通され、後側本体部５１の第１軸受部５１ｂに前側から軸受けされる軸部５２ｆが形成されている。また、前壁部５２ａの下方には、図４に示すように、後述する第１連動部材５６を回動可能に支持する軸受部５２ｇが形成されている。
【００３８】
一対の上壁部５２ｂは、図４に示すように、前壁部５２ａの上端部における左右両端部側からそれぞれ後方に立ち上がり、上壁部５２ｂ間に第２連動部材５８が臨む切り欠きが形成されている。上壁部５２ｂの下面には、図１０に示すように、後述する規制部５２ｃが設けられている。規制部５２ｃは、上壁部５２ｂの外側端部の近傍（後側本体部５１及び前側本体部５２によって構成される左右両側の開口部分の近傍）に設けられている。規制部５２ｃは、後述する可動部材５３に対して遊技球を放出する放出位置を規定するように機能する。規制部５２ｃは、可動部材５３における規制部５２ｃと当接する部分（可動部材５３の上壁部５３ｇ）よりも柔らかい材質が用いられている。規制部５２ｃは、実施例では弾性体（例えばエラストマー樹脂等）によって構成され、前後方向を軸方向とする円柱状である。一対の下壁部５２ｄは、図１０に示すように、前壁部５２ａにおいて、一対の上壁部５２ｂと所定の間隔をもって対向して設けられ、上壁部５２ｂと下壁部５２ｄとの間の空間部が可動部材５３の可動範囲となっている。
【００３９】
可動部材５３は、通路部材４０からの遊技球を受け入れる受入位置と、遊技球を入賞領域ＡＲに向けて放出する放出位置と、の間で変位自在に設けられている。可動部材５３は、図７及び図８に示すように、後側本体部５１と前側本体部５２との間であって、図１０に示すように、上壁部５２ｂと下壁部５２ｄとの間に回動自在に配されている。一対の可動部材５３は、それぞれ軸部５２ｅ（図１０参照）を中心に回動する。一対の可動部材５３は、図１０に示すように他方の可動部材５３に対して左右対称の形状をしており、図４に示すように、長手の略箱形状の一端に遊技球の受入部５３ｂが設けられ、他端には、可動部材５３の長手方向に沿って突出する略円柱状の被作用部５３ｄが形成されている。被作用部５３ｄは、後述する作用部５５ｄから作用を受ける部分であり、常態では作用部５５ｄの回転軌道内に位置している。また、前側本体部５２の軸部５２ｅが挿通する軸受部５３ｃは、被作用部５３ｄ側に偏位して可動部材５３の前面壁５３ａから後方に延びる中空軸状に形成されている。
【００４０】
受入部５３ｂは、図４，１０に示すように、前方及び上方が開放された皿形状の保持部５３ｅを備えている。保持部５３ｅは、前後方向から見て略三角形状で下方に凹んでいる。保持部５３ｅの底部分には、より一層下方に凹む凹部５３ｆが形成されている。凹部５３ｆは、遊技球の一部を入り込ませるように機能する。
【００４１】
付勢部材５４は、可動部材５３を受入位置から放出位置に向かう方向（入賞領域ＡＲに向かう方向）に付勢する。付勢部材５４は、図４に示すように、トーションバネとして構成されている。付勢部材５４は、図１０に示すように、軸受部５３ｃに巻装され、アーム部の一端が可動部材５３の上壁部５３ｇの下面に係止され、他端が後側本体部５１の枠体側壁５１ｅに付勢力を十分に残した状態で当接保持している。これにより、付勢部材５４は、常態で可動部材５３を受入位置から放出位置に向かう方向（入賞領域ＡＲ方向）へ付勢している。
【００４２】
駆動源５５は、可動部材５３を放出位置から受入位置に変位させる駆動力を生じさせるように機能する。駆動源５５の回動軸５５ａは、図１０に示すように、第１ギヤ５５ｂが固定されている。第１ギヤ５５ｂは、回動軸５５ａを中心に回動する。
【００４３】
一対の第２ギヤ５５ｃは、図１０に示すように、それぞれ前側本体部５２の一対の軸部５２ｆが挿通され、互いに噛合してそれぞれ軸部５２ｆを中心にそれぞれ反対方向に回動する。第２ギヤ５５ｃは、図４，１０に示すように、後面における外周の近傍の位置において、可動部材５３の被作用部５３ｄに作用する作用部５５ｄが後方に突出する円柱状に形成されている。右側の第２ギヤ５５ｃ（図１０では左側の第２ギヤ５５ｃ）は、図１０に示すように、第１ギヤ５５ｂに噛み合っており、第１ギヤ５５ｂが回動して第２ギヤ５５ｃが回動することで、左側の第２ギヤ５５ｃ（図１０では右側の第２ギヤ５５ｃ）は、連動して回動する。このとき、一対の第２ギヤ５５ｃは、図１０に示すように、作用部５５ｄの位置をずらして相違した位置（位相がずれた位置）になるように噛合しており、可動部材５３の被作用部５３ｄに所定の時間差をもって接触するようにして、可動部材５３が交互に作動する。
【００４４】
一対の第２ギヤ５５ｃは、図１０に示すように、前側本体部５２の後側において、左右の可動部材５３の間に配置されている。また、第２ギヤ５５ｃは、可動部材５３に対して、前後方向で一部が重なるように隣接して配置されている。具体的には、第２ギヤ５５ｃは、可動部材５３の被作用部５３ｄの前方（図１０では奥側）に作用部５５ｄの回動軌跡と被作用部５３ｄの可動軌跡が一部重なるように配され、可動部材５３が放出位置にあるときには、軸部５２ｆを中心とする作用部５５ｄの回動軌跡内に、被作用部５３ｄが位置するようになっている。
【００４５】
第３ギヤ５５ｅは、図４に示すように、前面において周方向に沿って凹凸状のカム部５５ｆが形成されている。一対の第３ギヤ５５ｅは、図１０に示すように、それぞれ後側本体部５１の一対の第２軸受部５１ｄに、互いに噛合するよう回動自在に軸支され、右側の第３ギヤ５５ｅ（図１０では左側の第３ギヤ５５ｅ）は、第１ギヤ５５ｂに噛み合っている。したがって、第１ギヤ５５ｂが回動することで、右側の第３ギヤ５５ｅが回動すると共に左側の第３ギヤ５５ｅ（図１０では右側の第３ギヤ５５ｅ）が回動する。
【００４６】
第１連動部材５６は、図９に示すように、第１振分装置５０における下側を装飾する部材であって、上端の軸部が前側本体部５２の軸受部５２ｇ（図４参照）に揺動自在に軸支され、軸受部５２ｇ（軸支部）の前面側を装飾部材５７で覆い保持している。第１連動部材５６には、図４に示すように、第３ギヤ５５ｅの波状のカム部５５ｆに当接する当接部５６ａが形成されている。当接部５６ａが第３ギヤ５５ｅのカム部５５ｆに当接した状態で第３ギヤ５５ｅが回動することで、カム部５５ｆの波状の凹凸により第１連動部材５６が左右方向の回動軸周りに前後方向に交互に揺動することになる。
【００４７】
第２連動部材５８は、図９に示すように、第１振分装置５０における上側を装飾する部材であって、図１０に示すように、前側本体部５２の軸部５２ｈに揺動自在に支持されている。また、図１０に示すように、第２連動部材５８と後側本体部５１との間には、ばね部材５８ａが介在している。具体的には、ばね部材５８ａの一端（上端）が後側本体部５１の係止部５１ｃに係止され、他端（下端）が第２連動部材５８の係止部５８ｂに係止されている。第２連動部材５８は、下端に作用部５５ｄが接触作用する作用片５８ｃが設けられており、常態ではばね部材５８ａの付勢により左右の第２ギヤ５５ｃの中間に位置し、左右の第２ギヤ５５ｃの作用部５５ｄの回動軌跡内に位置している。そして、第２ギヤ５５ｃの作用部５５ｄが作用片５８ｃに接触・離間することにより、第２連動部材５８が頭部を揺らすように左右に揺動変位するようになっている。
【００４８】
このように構成される第１振分装置５０は、図１０に示すように、駆動源５５からの駆動力に基づいて第１ギヤ５５ｂが回動軸５５ａを中心に回動すると、これに連動して一対の第２ギヤ５５ｃがそれぞれ軸部５２ｆを中心に回動する。また、第２ギヤ５５ｃが回動すると、第２ギヤ５５ｃの作用部５５ｄが可動部材５３の被作用部５３ｄを接触押圧することで、可動部材５３が付勢部材５４の付勢力に抗して放出位置から受入位置に回動変位する。具体的には、図９に示すように、右側の可動部材５３（図１０では左側の可動部材５３）は、軸部５２ｅを中心として回動して、放出位置（図１０の状態）から下方に下がった受入位置（図９鎖線位置）に変位する。同様に、図９鎖線に示す左側の可動部材５３（図１０では右側の可動部材５３）は、軸部５２ｅを中心として回動して、放出位置（図９鎖線位置）から下方に下がった受入位置（図９及び図１０の状態）に変位する。そして、可動部材５３は、第２ギヤ５５ｃがさらに回動することで、被作用部５３ｄが作用部５５ｄの回動軌跡から外れると接触が解除され、付勢部材５４の付勢力に基づいて受入位置から放出位置に回動変位する。なお、可動部材５３が受入位置（最下位置）で一旦停止して、遊技球が確実に受入部５３ｂ（保持部５３ｅ）に保持されるように、作用部５５ｄの長さ・傾きが設定され、作用部５５ｄが被作用部５３ｄと接触するようにしている。
【００４９】
図７に示すように、可動部材５３が受入位置にある状態では、受入部５３ｂ（保持部５３ｅ）が第２誘導通路４２の開口部４２ａの後方に位置する。そのため、受入部５３ｂ（保持部５３ｅ）は、第２誘導通路４２を流下する遊技球を受け入れて、凹部５３ｆで保持する。一方で、図８に示すように、可動部材５３が放出位置にある状態では、受入部５３ｂ（保持部５３ｅ）が第２誘導通路４２の開口部４２ａよりも上側に位置する。そのため、第２誘導通路４２を流下する遊技球は、受入部５３ｂに受け入れられることなく、受入部５３ｂの下方を通過して第１外れ球通路３３に入り込む。第１外れ球通路３３に入り込んだ遊技球は、ベース部材３０の上枠部３１の後側に配される外れ球皿３４及び第２外れ球通路３５を介して入賞装置２０から排出されるようになっている。
【００５０】
図１０に示すように、受入部５３ｂ（保持部５３ｅ）に遊技球を受け入れた可動部材５３は、第２ギヤ５５ｃがさらに回動することで、被作用部５３ｄが作用部５５ｄの接触から解放され、付勢部材５４の付勢力に基づいて受入位置から放出位置に勢いよく回動変位する。そのため、可動部材５３は、付勢部材５４により上方に付勢された状態で、規制部５２ｃに衝止することになる（図１０の左側の可動部材５３を参照）。具体的には、可動部材５３の軸支側の上壁部５３ｇが規制部５２ｃに衝止する。可動部材５３において規制部５２ｃが当接する箇所は、上壁部５３ｇにおける可動部材５３の回動中心（軸部５２ｅ）の近傍である。また、可動部材５３は、入賞領域ＡＲに向けて、僅かに上向きに傾斜した状態（実施例では２〜３度の傾斜角度）で規制部５２ｃに衝止する。なお、一対の第２ギヤ５５ｃが作用部５５ｄを相違した位置になるように?合させているため、左右の可動部材５３は時間をずらして交互に遊技球を放出作用する。このとき遊技球は、上方に向かって（入賞領域ＡＲに向かって）十分に付勢された状態で、図９の左側の可動部材５３の鎖線に示すように特定の放出位置（規制部５２ｃに衝止する位置）において可動部材５３の受入部５３ｂ（保持部５３ｅ）から放出される。
【００５１】
可動部材５３は、図１０に示すように、軸受部５３ｃを除いたほぼ全体（軸受部５３ｃよりも先端側）が、後側本体部５１及び前側本体部５２から露出している。そのため、可動部材５３は、遊技球の放出時に、付勢部材５４の付勢に基づく規制部５２ｃとの衝突による衝撃で、腕部分（軸受部５３ｃよりも先端側）が僅かに入賞領域ＡＲ側に撓むことになる。これにより、遊技球が入賞領域ＡＲに向かう軌道で放出され易くなり、入賞し易くなる。
【００５２】
なお、可動部材５３が受入位置（最下位置）で一旦停止して遊技球が確実に受入部５３ｂ（保持部５３ｅ）に保持されるように、駆動源５５の回転を作用部５５ｄと被作用部５３ｄとの接触時に例えば２５０ｐｐｓ（パルス／秒）から１５０ｐｐｓに制御して第２ギヤ５５ｃを遅く回転させるようにしてもよい。また、作用部５５ｄと被作用部５３ｄとの接触を瞬時に解除して、付勢部材５４の付勢力を一気に解放するために、駆動源５５の回転を例えば１５０ｐｐｓ（パルス／秒）から２５０ｐｐｓに加速制御して、作用部５５ｄが被作用部５３ｄから素早く離間するようにしてもよい。また、図１３に示すように、円柱状の作用部５５ｄの代わりに、反回転方向（回転方向の後方側）を半月状に削除した作用部５５ｇを採用して、被作用部５３ｄが作用部５５ｇとの接触を瞬時に解除するようにしてもよい。
【００５３】
また、図１０に示す第１ギヤ５５ｂが回動すると、一対の第３ギヤ５５ｅも連動してそれぞれ第２軸受部５１ｄを中心として回動し、第１連動部材５６が左右方向を軸線として前後に交互に揺動変位する演出を行う。また、第２ギヤ５５ｃの回動に伴って、作用部５５ｄが作用片５８ｃに接触し第２連動部材５８は、軸部５２ｈを中心に左右に揺動変位する演出を行う。
【００５４】
次に、第２振分装置６０について説明する。
図１１に示す第２振分装置６０は、入賞領域ＡＲに放出された遊技球を、入賞口６３ｄ又は排出口６１ｂに振り分けるように機能する。第２振分装置６０は、図５に示すように、遊技球受入部６１、後側ベース部６２、回動アーム６３、上側支持部６４、駆動源６５、回動部材６６、センサ６７、及びリンク６８を有している。
【００５５】
遊技球受入部６１は、図５に示すように、上方が開口されたかご状に構成され、ベース部材３０の上枠部３１の前面に固定されている。遊技球受入部６１の前壁部は、入賞領域ＡＲを前方から覆う被覆部６１ａとなっている。被覆部６１ａは、例えば、メッシュ状の部材や、光透過性の樹脂で形成された部材によって構成されている。そのため、前方から被覆部６１ａを介して入賞領域ＡＲが視認可能である。遊技球受入部６１の底壁部には、後端において左右両端にそれぞれ上下方向に貫通する排出口６１ｂ（図１１参照）が形成されている。排出口６１ｂは、入賞領域ＡＲから遊技球を排出する。遊技球受入部６１の後壁部には、入賞領域ＡＲ内に臨む回動アーム６３を揺動可能とする開口部６１ｃが形成されている。
【００５６】
後側ベース部６２は、図７，８に示すように、ベース部材３０の上枠部３１の後面において、遊技球受入部６１の後方に固定されている。後側ベース部６２には、図５に示すように、回動アーム６３の軸受となる筒状の軸受部６２ａが形成されている。また、後側ベース部６２には、回動アーム６３の回動をガイドする円弧状のガイド孔６２ｂが形成されている。また、後側ベース部６２には、回動部材６６に挿入される駆動源６５の駆動軸６５ａが臨む貫通孔６２ｃが形成されている。また、後側ベース部６２には、入賞口６３ｄに入球した遊技球が通過する開口部６２ｄが形成されている。
【００５７】
回動アーム６３は、図５に示すように、上方に開口した球通路部６３ｔを有するアーム状に形成される。球通路部６３ｔの一端（後端）側に、上側及び下側に突出する回動軸６３ａが形成されている。回動軸６３ａは、上端が上側支持部６４によって回動可能に軸受けされ、下端が後側ベース部６２の軸受部６２ａによって回動可能に軸受けされる。また、回動アーム６３の一端（後端）には、上側及び下側に突出する被ガイド軸６３ｂが形成されている。被ガイド軸６３ｂは、上端がリンク６８に回動可能に軸受され、下端がガイド孔６２ｂに挿通される。また、球通路部６３ｔの他端（先端部）には、上方に開口した球受け部６３ｃが形成されている。球受け部６３ｃは遊技球より一回り大きく形成されている。また、球通路部６３ｔの一端（後端）側には、上下方向に貫通した入賞口６３ｄが形成されている。
【００５８】
駆動源６５の駆動軸６５ａは、図５に示すように、後側ベース部６２の貫通孔６２ｃを介して回動部材６６に固定されている。回動部材６６は、図１１に示すように、駆動源６５の駆動軸６５ａを中心として回動する。回動部材６６には、固定された状態で駆動軸６５ａに対して偏心した位置に中空軸状の突起６６ａが形成されている。また、回動部材６６の外周の所定位置に扇状の検知片６６ｂが設けられ、後側ベース部６２の上面において隣接して設けられるセンサ６７によって検知片６６ｂを検知して回動位置が検出される。センサ６７は、フォトセンサ等の公知の位置検出センサによって構成されている。
【００５９】
リンク６８は、図５に示すように、長手板状に形成され、一端に回動部材６６の突起６６ａが回動可能に軸受される上下方向に貫通した孔６８ａが形成され、他端に回動アーム６３の被ガイド軸６３ｂが回動可能に軸受される上下方向に貫通した孔６８ｂが形成されている。これにより、回動アーム６３は、リンク６８を介して回動部材６６と連動する。
【００６０】
このように構成される第２振分装置６０は、図１１に示すように、駆動源６５からの駆動力に基づいて回動部材６６が駆動軸６５ａを中心に回動すると、これに連動してリンク６８を介して回動アーム６３が回動軸６３ａを中心に回動する。これにより、回動アーム６３の他端側（球受け部６３ｃ側）は、入賞領域ＡＲ内で左右方向に往復移動する。
【００６１】
後側ベース部６２の開口部６２ｄの下端部は、当たり球皿３６（図３参照）の上方に位置している。当たり球皿３６に流入した遊技球は、例えば図示しない球検出スイッチによって検出され、遊技機１が大入賞口６を開放させる大当たり状態となる。
【００６２】
遊技球受入部６１の排出口６１ｂの下方には、図２及び図１０に示すように、誘導樋３８が設けられている。誘導樋３８の上端３８ａは、図１０に示すように、排出口６１ｂに下方から対向している。誘導樋３８の下端３８ｂは、図６（Ａ）鎖線に示すように、後述する第３振分装置７０の誘導路７２の上方に位置している。
【００６３】
次に、第３振分装置７０について説明する。
第３振分装置（振分手段）７０は、図６に示すように、回動体７１、誘導路７２、及び枠体７３を備え、第２振分装置６０の排出口６１ｂから排出された遊技球を、誘導路７２を介して回動体７１に導き、第２入賞口７３ｄ（図１２参照）又は外れ口７３ｅに振り分けるように機能する。
【００６４】
回動体７１は、図６に示すように、軸部（回動軸）７１ａを介して枠体７３に回動自在に軸支されている。回動体７１は、球体に近い外形であり、外面に遊技球の一部を入り込ませて保持する複数の保持部７１ｂが形成されている。回動体７１は、後述する第２駆動源７３ｆによる回動体７１の軸部７１ａを中心とする回動に連動して、回動体７１を揺動させる揺動手段（図示略）を有している。揺動手段は、回動体７１を軸部７１ａを中心に回動させつつ、軸部７１ａとは直交する方向の軸を中心として揺動するように機能する。これにより、回動体７１が軸部７１ａを中心に揺動しつつ回動すると、保持部７１ｂが蛇行しながら移動することになる。
【００６５】
誘導路７２は、図６に示すように、回動体７１の外周に沿うように溝状に形成され、後方側から前方側に向かって下方に傾斜している。誘導路７２は、第２振分装置６０で振り分けられ、排出口６１ｂから排出された遊技球（外れ球）を受けて回動体７１に誘導する。具体的には、誘導路７２は、誘導樋３８の下端３８ｂから流下する遊技球を遊動させながら前側に導く。誘導路７２によって遊動する遊技球は、保持部７１ｂに対向して保持されるまで、回動体７１の回動に基づいて回動体７１に接触転動しながら誘導路７２に停留する。
【００６６】
枠体７３は、図６に示すように、回動体７１を回動自在に軸支する土台として構成され、下枠部３２の上面に固定されている（図２参照）。枠体７３は、駆動ユニット７３ａ、入賞球通路７３ｂ（図１２参照）、及び一対の外れ球通路７３ｃを有している。駆動ユニット７３ａは、回動体７１の回動及び揺動のための駆動力を発生させる。駆動ユニット７３ａは、図７及び図８に示すように、第２駆動源７３ｆからギヤ部７３ｇ，７３ｈ，７３ｉ，７３ｊを介して軸部７１ａに駆動力を伝達する構成である。入賞球通路７３ｂは、大当たり状態を生じさせる球検出スイッチ７３ｋ（図１２参照）に続くように、枠体７３の底部分の左右方向中央に形成されている。入賞球通路７３ｂには、前側上方に開口した第２入賞口７３ｄが形成されている。一対の外れ球通路７３ｃは、入賞球通路７３ｂを左右両側から挟むように設けられ、それぞれ前方から後方へ傾斜する底壁を有している。外れ球通路７３ｃには、上端部に外れ口７３ｅが形成されている。
【００６７】
次に、入賞装置２０の作用について説明する。
遊技領域４ａを流下する遊技球は、回動翼片１２が傾倒状態（図１の二点鎖線を参照）になると、回動翼片１２で受けられて第１誘導通路１３を介して通路部材４０の受け部４１へと導かれる。受け部４１に受けられた遊技球は、いずれか一方の第２誘導通路４２を流下し、開口部４２ａから後方に排出される。このとき、可動部材５３が図７に示す受入位置にある場合、受入部５３ｂは、開口部４２ａの後方に位置するため、第２誘導通路４２を流下する遊技球を受け入れて、凹部５３ｆで保持する。そして、可動部材５３は、付勢部材５４の付勢力に基づいて、受入位置（図９の左側の実線の可動部材５３を参照）から放出位置（図９の左側の二点鎖線の可動部材５３を参照）に回動変位し、遊技球を入賞領域ＡＲに向けて放出する。具体的には、可動部材５３は、付勢部材５４により入賞領域ＡＲに向けて付勢された状態で、図１０の左側の可動部材５３のように、前側本体部５２の規制部５２ｃに衝止することで遊技球を入賞領域ＡＲに向けて放出する。これにより、遊技球は、入賞領域ＡＲに向かって十分に付勢された状態で、特定の放出位置において可動部材５３から放出されることになり、安定した軌道で入賞領域ＡＲへと到達させることができる。したがって、可動部材５３による入賞領域ＡＲに向けた遊技球の放出を安定的に制御することができる。なお、万一可動部材５３の放出動作により遊技球が入賞領域ＡＲに入らなかった場合には、図示しない排出経路を介して外れ球として回収される。
【００６８】
一方で、可動部材５３が放出位置にある場合に、第２誘導通路４２の開口部４２ａから後方に排出される遊技球は、図８に示すように、可動部材５３の下方を通過して第１外れ球通路３３に落下する。第１外れ球通路３３を流下する遊技球は、外れ球皿３４及び第２外れ球通路３５を介して、入賞装置２０から排出される。このように、第１振分装置５０は、遊技球が受入部５３ｂに入るか否かによって、遊技球の振り分け（第１振分）を行う。
【００６９】
続いて、図１０に示すように入賞領域ＡＲに入り込んだ遊技球は、回動アーム６３の球受け部６３ｃに受けられると、球通路部６３ｔ（図１１参照）を通って入賞口６３ｄに入球し、当たり球皿３６及び当たり球通路３７を流下して、遊技機１が大入賞口６を開放させる大当たり状態となる。一方で、球受け部６３ｃに受けられない遊技球は、排出口６１ｂから誘導樋３８を流下して、第３振分装置７０の誘導路７２に導かれる。このように、第２振分装置６０は、入賞口６３ｄに入るか否か（球受け部６３ｃに受けられるか否か）によって、遊技球の振り分け（第２振分）を行う。
【００７０】
続いて、第３振分装置７０の誘導路７２に導かれた遊技球は、誘導路７２を遊動し、回動体７１の保持部７１ｂに保持されることになる。保持部７１ｂに保持された遊技球は、図１２に示すように、回動体７１の軸部７１ａを中心とする回動によって、蛇行しながら後方側に移動する。下向きになった保持部７１ｂから落下する遊技球（図１２（Ｃ）参照）は、第２入賞口７３ｄ又は外れ口７３ｅのいずれかに入球する。なお、図１２（Ｃ）は、遊技球が第２入賞口７３ｄに入球する状態を示している。遊技球が第２入賞口７３ｄに入球すると復活当たりとなり、遊技機１が大入賞口６を開放させる大当たり状態となる。このように、第３振分装置７０は、第２入賞口７３ｄに入るか、外れ口７３ｅに入るかによって、遊技球の振り分け（第３振分）を行う。
【００７１】
（第１実施形態の主な効果）
本第１実施形態の入賞装置２０及び遊技機１は、可動部材５３が駆動源５５の駆動力によって付勢部材５４の付勢に抗して放出位置から受入位置に変位することによって、通路部材４０（誘導手段）を介して遊技領域４ａを流下する遊技球を受け入れることができる。そして、可動部材５３は、駆動源５５の駆動力によって放出位置から受入位置に変位した後、受入位置から放出位置に付勢部材５４の付勢に基づいて変位させることができる。その上で、入賞装置２０は、可動部材５３が放出位置に移動したときに衝止する規制部５２ｃを備えている。可動部材５３は、付勢部材５４により入賞領域ＡＲに向けて付勢された状態で、規制部５２ｃに衝止することで遊技球を入賞領域ＡＲに向けて放出する構成である。これにより、遊技球は、入賞領域ＡＲに向かって十分に付勢された状態で、特定の放出位置において可動部材５３から放出されることになり、安定した軌道で入賞領域ＡＲへと到達させることができる。したがって、可動部材５３による入賞領域ＡＲに向けた遊技球の放出を安定的に制御することができる。
【００７２】
また、規制部５２ｃは、弾性体によって構成されている。
これによれば、規制部５２ｃは、放出位置で可動部材５３を衝止する際に、可動部材５３との衝突の衝撃を緩和することができる。そのため、可動部材５３の耐久性を向上させることができる。
【００７３】
また、入賞装置２０は、入賞領域ＡＲ内から遊技球を排出する排出口６１ｂを備えている。
これによれば、入賞領域ＡＲ内に放出された遊技球は、入賞口６３ｄに入球するか排出口６１ｂに入球するかによって、一種の抽選を行うことができる。このような抽選によって、遊技者の興趣を高めることができる。
【００７４】
また、入賞装置２０は、排出口６１ｂから排出された遊技球を第２入賞口７３ｄ又は外れ口７３ｅに振り分ける第３振分装置７０を備えている。
これによれば、排出口６１ｂから排出された遊技球が、第２入賞口７３ｄに入球するか外れ口７３ｅに入球するかによって、さらなる抽選を行うことができる。そのため、連続して行われる抽選によって、より一層遊技者の興趣を高めることができる。
【００７５】
また、第３振分装置７０は、回動自在に軸支される回動体７１と、排出口６１ｂから排出された遊技球を受けて回動体７１に誘導する誘導路７２と、回動体７１を軸部７１ａを中心に回動させる第２駆動源７３ｆと、回動体７１の外周面に設けられ、誘導路７２によって誘導された遊技球を保持するとともに、回動体７１の回動に応じて軸部７１ａの軸周りに移動する保持部７１ｂと、第２駆動源７３ｆによる回動体７１の軸部７１ａを中心とする回動に連動して、回動体７１を揺動させる揺動手段と、を備えている。保持部７１ｂは、保持した遊技球を第２入賞口７３ｄ又は外れ口７３ｅへと移動させる。
これによれば、回動体７１の回動に応じて軸部７１ａの軸周りに移動する保持部７１ｂは、揺動しながら回動移動することになる。そのため、遊技者が保持部７１ｂの回動軌道を予測することが難しくなり、遊技者の興趣を高めることができる。
【００７６】
また、可動部材５３は、遊技球の一部が入り込む凹部５３ｆを有する。
これによれば、凹部５３ｆは、遊技球を受け入れて安定して保持することができるとともに、可動部材５３の放出位置において付勢部材５４の付勢力に基づいて開口から支障なく放出させることができる。
【００７７】
また、入賞口６３ｄは、入賞領域ＡＲ内で移動する。
これによれば、入賞領域ＡＲに放出された遊技球の入賞口６３ｄへの入球が、入賞口６３ｄの移動に依存することになり、ゲーム性を高めることができる。
【００７８】
また、遊技球受入部６１は、入賞領域ＡＲを前方から覆う被覆部６１ａを備えている。前方から被覆部６１ａを介して入賞領域ＡＲが視認可能である。
これによれば、入賞領域ＡＲが前方から被覆部６１ａに覆われていても、入賞領域ＡＲ内の遊技球の動きを視認することができる。そのため、入賞領域ＡＲ内の遊技球の動きによって、遊技者の興趣を高めることができる。
【００７９】
［他の実施形態]
本発明は上記記述及び図面によって説明した実施形態に限定されるものではなく、例えば次のような実施形態も本発明の技術的範囲に含まれる。
【００８０】
上述した第１実施形態において、規制部５２ｃは、円柱状であったが、直方体状や球状であってもよい。また、規制部５２ｃは、衝止する他方の部材よりも柔らかい材料であれば、材料の種類は特に限定されることはない。また、規制部５２ｃを円柱状として、点又は線接触で衝止するようにしたが、面接触するようにしてもよい。また、規制部５２ｃを、可動する可動部材５３側に設けるようにしてもよい。
【００８１】
上述した第１実施形態において、第１誘導通路１３及び第２誘導通路４２を介して第１振分装置５０に遊技球が導かれる構成であったが、第１誘導通路１３及び第２誘導通路４２を設けることなく、遊技領域４ａから直接、可動部材５３の受入部５３ｂに遊技球が導かれる構成であってもよい。また、通路部材４０（誘導手段）からの遊技球を直接可動部材５３の保持部５３ｅで受け入れるようにしたが、長手の略箱形状部を球通路部として、この球通路部で通路部材４０からの遊技球を受け、球通路部から保持部５３ｅにうまく保持された場合に入賞領域に向けて放出するようにしてもよい。このようにすることで、遊技者はよりスリルと期待感を味わうことができるようになる。
【符号の説明】
【００８２】
１…遊技機
４ａ…遊技領域
１２…回動翼片（誘導手段）
１３…第１誘導通路（誘導手段）
３０…ベース部材
２０…入賞装置
３０…ベース部材
４０…通路部材（誘導手段）
５２ｃ…規制部
５３…可動部材
５３ｅ…保持部
５３ｆ…凹部
５４…付勢部材
５５…駆動源
６０…第２振分装置
６１…遊技球受入部
６１ａ…被覆部
６１ｂ…排出口
６３ｄ…入賞口
７０…第３振分装置（振分手段）
７１…回動体
７２…誘導路
７３ｄ…第２入賞口
７３ｅ…外れ口
７３ｆ…第２駆動源
ＡＲ…入賞領域
【図１】
2020114299.tif 000003
【図２】
2020114299.tif 000004
【図３】
2020114299.tif 000005
【図４】
2020114299.tif 000006
【図５】
2020114299.tif 000007
【図６】
2020114299.tif 000008
【図７】
2020114299.tif 000009
【図８】
2020114299.tif 000010
【図９】
2020114299.tif 000011
【図１０】
2020114299.tif 000012
【図１１】
2020114299.tif 000013
【図１２】
2020114299.tif 000014
【図１３】
2020114299.tif 000015